(57)【要約】【課題】  番組中に挿入された全てのＣＭ部を再生すると共に、ＣＭが挿入される再生タイミングを変更した番組を再生可能とする記録再生装置を実現する。【解決手段】  放送局から送信される複数の本編部及び複数のＣＭ部とからなる番組を記録媒体に記録する記録手段１５と、記録番組を再生する再生手段１５と、識別情報を基に本編部とＣＭ部との記録開始位置を検出する記録位置検出手段１４と、再生中の本編部よりも後に記録されたＣＭ部を再生させるための操作が検出された場合にのみ本編部よりも後に記録されたＣＭ部を先に再生させる再生制御情報を生成する再生制御データ生成手段１７とを備えて装置を構成した。【選択図】      図１
2008206012.tif 000002
【特許請求の範囲】
【請求項１】
放送局から放送され、受信される一連の番組情報を受信順に記録する記録手段と、
通信回線を介して、前記放送局から放送される前記番組情報に対応した放送開始時刻情報を記述した電子番組ガイドを取得する電子番組ガイド取得手段と、
前記記録手段に記録された前記番組情報を、順次再生する再生手段と、
前記記録手段に記録された前記番組情報、又は前記電子番組ガイド取得手段で取得された前記電子番組ガイドに、前記番組情報を構成する本編部及びＣＭ部の開始を示す開始時刻情報を有していることを検出する情報検出手段と、
前記情報検出手段で前記開始時刻情報が検出される場合には、検出された前記開始時刻情報をスルー出力し、前記開始時刻情報が検出されない場合であって、かつ前記再生手段で再生された前記番組情報の音声のレベルが所定レベル以下でありかつ所定の時間以上継続している無音部分を検出し、検出した隣り合う無音部分の時間間隔が前記所定の時間間隔よりも長い基準時間の整数倍の長さ存在していることを検出した場合には、当該隣り合う無音部分同士の先行する無音部分の終了位置を前記ＣＭ部の開始位置であるとして、前記ＣＭ部の前記開始時刻情報を生成する開始時刻情報生成手段と、
前記再生手段により、前記記録手段に記録された前記本編部の再生途中で、当該前記本編部の直後に記録されている前記ＣＭ部を前記本編部の再生に優先して再生制御するためのＣＭ選択信号が印加された場合には、前記開始時刻情報生成手段から出力される前記開始時刻情報に基づいて、再生途中の前記本編部の再生を一時停止し、この直後から当該前記本編部直後から記録されている前記ＣＭ部の再生を開始し、優先して再生している当該前記ＣＭ部の再生が終了すると、一時停止状態の当該本編部の再生を開始するように前記再生手段を再生制御する再生制御手段と、
を備えたことを特徴とする記録再生装置。
【請求項２】
放送局から放送され、受信される一連の番組情報を受信順に記録する記録手段と、
前記記録手段に記録された前記番組情報を、順次再生する再生手段と、
前記記録手段に記録された前記番組情報に、前記番組情報を構成する本編部及びＣＭ部の開始を示す開始時刻情報を有していることを検出する情報検出手段と、
前記情報検出手段で前記開始時刻情報が検出される場合には、検出された前記開始時刻情報をスルー出力し、前記開始時刻情報が検出されない場合であって、かつ前記再生手段で再生された前記番組情報の音声のレベルが所定レベル以下でありかつ所定の時間以上継続している無音部分を検出し、検出した隣り合う無音部分の時間間隔が前記所定の時間間隔よりも長い基準時間の整数倍の長さ存在していることを検出した場合には、当該隣り合う無音部分同士の先行する無音部分の終了位置を前記ＣＭ部の開始位置であるとして、前記ＣＭ部の前記開始時刻情報を生成する開始時刻情報生成手段と、
前記再生手段により、前記記録手段に記録された前記本編部の再生途中で、当該前記本編部の直後に記録されている前記ＣＭ部を前記本編部の再生に優先して再生制御するためのＣＭ選択信号が印加された場合には、前記開始時刻情報生成手段から出力される前記開始時刻情報に基づいて、再生途中の前記本編部の再生を一時停止し、この直後から当該前記本編部直後から記録されている前記ＣＭ部の再生を開始し、優先して再生している当該前記ＣＭ部の再生が終了すると、一時停止状態の当該本編部の再生を開始するように前記再生手段を再生制御する再生制御手段と、
を備えたことを特徴とする記録再生装置。
【請求項３】
請求項１又は２に記載の記録再生装置であって、
前記情報検出手段は前記ＣＭ部を構成するＣＭ要素ごとに開始を示す開始時刻情報を有していることを検出する情報検出手段であり、
前記開始時刻情報生成手段は前記ＣＭ部の開始位置を前記ＣＭ要素ごとの開始位置として前記開始時刻情報を生成する開始時刻情報生成手段であり、
前記再生制御手段は、前記本編部に優先して再生させる前記ＣＭ部の再生を前記ＣＭ要素ごとに優先して再生させるＣＭ選択信号が印加された場合には、前記ＣＭ部の再生を当該前記ＣＭ選択信号に基づいて前記ＣＭ要素ごとに前記再生手段を再生制御する再生制御手段であることを特徴とする記録再生装置。
【請求項４】
請求項１又は２に記載の記録再生装置であって、
前記情報検出手段は前記ＣＭ部を構成するＣＭ要素ごとに開始を示す開始時刻情報を有していることを検出する情報検出手段であり、
前記開始時刻情報生成手段は前記ＣＭ部の開始位置を前記ＣＭ要素ごとの開始位置として前記開始時刻情報を生成する開始時刻情報生成手段であり、
前記再生制御手段は、前記ＣＭ部を指定される数の前記ＣＭ要素とし、指定された数の前記ＣＭ要素を前記本編部の再生に優先して再生させるＣＭ選択信号が印加された場合には、優先して再生する前記ＣＭ部の再生を前記ＣＭ要素ごとに制御する一方、前記ＣＭ選択信号により指定された前記ＣＭ要素の数から優先して再生した前記ＣＭ要素の数を減じて得られる未再生のＣＭ要素の数を、前記再生手段で再生して得られた前記番組情報と共に表示させるように制御する再生制御手段であることを特徴とする記録再生装置。
【発明の詳細な説明】
【技術分野】
【０００１】
本発明は、複数に分割された本編部と本編部との間にＣＭが挿入されて受信される番組を記録媒体に記録した後に、前記記録媒体からＣＭを本編部に先行させて再生し、その後にＣＭの挿入されない本編部を再生する記録再生装置に関する。
【背景技術】
【０００２】
最近になり、ランダムアクセス可能な記録媒体に受信される番組を記録した後に、記録番組のうち選択される番組部分をアクセスしながら再生するハ−ドディスク記録再生装置、やＤＶＤ（Digital versatile Disc）記録再生装置が市場導入されるようになってきた。
番組の本編部に挿入されるＣＭ（commercial message）は、ＣＭスポンサーが高額な料金を支払って放送される番組部分であり、使用者による視聴が期待されている。一方、使用者は本編部に挿入されて受信されるＣＭをスキップした視聴を希望している。ＣＭが使用者の操作に関らず視聴されると共に、その操作後はＣＭの挿入されない本編部を再生可能な記録再生装置が実現できることは好ましい。
【０００３】
特許文献１には、放送番組の再生中に停止ボタンやポーズボタンが押された場合に、ブルーバックに代えて、記録しておいたコマーシャルメッセージが再生される情報処理装置が開示されている。その装置は、記録／再生部は、番組本編の再生中に操作部の停止ボタンが１回押されるとコマーシャルメッセージを再生し、停止ボタンが２回押されると再生動作を停止する一方、コマーシャルメッセージの再生中に操作部の再生ボタンが押されるとコマーシャルメッセージの再生を停止して番組本編を再び再生するとともに、停止ボタンまたはポーズボタンが再び押されると、前回のコマーシャルメッセージ再生停止位置アドレスから、最も近い先頭アドレスをメモリに保存されている先頭アドレスの中から抽出し、その抽出した先頭アドレスの示す位置からコマーシャルメッセージの再生を開始できるようにした情報処理装置が開示されている。
【特許文献１】特開２００６−５０１６９号公報
【発明の開示】
【発明が解決しようとする課題】
【０００４】
しかしながら、特許文献１に開示されている情報処理装置では、使用者の操作に応じてＣＭ部をスキップしたり本編部のみを再生可能としているため、ＣＭを再生するための操作がなされない場合にＣＭ部は再生されなく、ＣＭスポンサーにとって好ましくない。即ち、番組中に挿入される全てのＣＭ部の再生がなされると共に、外部操作によりＣＭの再生タイミングを変更可能とする記録再生装置を実現することはできなかった。
【０００５】
そこで、本発明は、上記のような問題点を解消するためになされたもので、番組中に挿入された全てのＣＭ部を再生すると共に、ＣＭの再生タイミングを変更した番組を再生可能とする記録再生装置を提供することを目的とする。
【課題を解決するための手段】
【０００６】
本願発明における第１の発明は、放送局から放送され、受信される一連の番組情報を受信順に記録する記録手段と、通信回線を介して、前記放送局から放送される前記番組情報に対応した放送開始時刻情報を記述した電子番組ガイドを取得する電子番組ガイド取得手段と、前記記録手段に記録された前記番組情報を、順次再生する再生手段と、前記記録手段に記録された前記番組情報、又は前記電子番組ガイド取得手段で取得された前記電子番組ガイドに、前記番組情報を構成する本編部及びＣＭ部の開始を示す開始時刻情報を有していることを検出する情報検出手段と、前記情報検出手段で前記開始時刻情報が検出される場合には、検出された前記開始時刻情報をスルー出力し、前記開始時刻情報が検出されない場合であって、かつ前記再生手段で再生された前記番組情報の音声のレベルが所定レベル以下でありかつ所定の時間以上継続している無音部分を検出し、検出した隣り合う無音部分の時間間隔が前記所定の時間間隔よりも長い基準時間の整数倍の長さ存在していることを検出した場合には、当該隣り合う無音部分同士の先行する無音部分の終了位置を前記ＣＭ部の開始位置であるとして、前記ＣＭ部の前記開始時刻情報を生成する開始時刻情報生成手段と、前記再生手段により、前記記録手段に記録された前記本編部の再生途中で、当該前記本編部の直後に記録されている前記ＣＭ部を前記本編部の再生に優先して再生制御するためのＣＭ選択信号が印加された場合には、前記開始時刻情報生成手段から出力される前記開始時刻情報に基づいて、再生途中の前記本編部の再生を一時停止し、この直後から当該前記本編部直後から記録されている前記ＣＭ部の再生を開始し、優先して再生している当該前記ＣＭ部の再生が終了すると、一時停止状態の当該本編部の再生を開始するように前記再生手段を再生制御する再生制御手段と、を備えたことを特徴とする記録再生装置を提供する。
第２の発明は、放送局から放送され、受信される一連の番組情報を受信順に記録する記録手段と、前記記録手段に記録された前記番組情報を、順次再生する再生手段と、前記記録手段に記録された前記番組情報に、前記番組情報を構成する本編部及びＣＭ部の開始を示す開始時刻情報を有していることを検出する情報検出手段と、前記情報検出手段で前記開始時刻情報が検出される場合には、検出された前記開始時刻情報をスルー出力し、前記開始時刻情報が検出されない場合であって、かつ前記再生手段で再生された前記番組情報の音声のレベルが所定レベル以下でありかつ所定の時間以上継続している無音部分を検出し、検出した隣り合う無音部分の時間間隔が前記所定の時間間隔よりも長い基準時間の整数倍の長さ存在していることを検出した場合には、当該隣り合う無音部分同士の先行する無音部分の終了位置を前記ＣＭ部の開始位置であるとして、前記ＣＭ部の前記開始時刻情報を生成する開始時刻情報生成手段と、前記再生手段により、前記記録手段に記録された前記本編部の再生途中で、当該前記本編部の直後に記録されている前記ＣＭ部を前記本編部の再生に優先して再生制御するためのＣＭ選択信号が印加された場合には、前記開始時刻情報生成手段から出力される前記開始時刻情報に基づいて、再生途中の前記本編部の再生を一時停止し、この直後から当該前記本編部直後から記録されている前記ＣＭ部の再生を開始し、優先して再生している当該前記ＣＭ部の再生が終了すると、一時停止状態の当該本編部の再生を開始するように前記再生手段を再生制御する再生制御手段と、を備えたことを特徴とする記録再生装置を提供する。
第３の発明は、第１又は第２の発明に記載の記録再生装置であって、前記情報検出手段は前記ＣＭ部を構成するＣＭ要素ごとに開始を示す開始時刻情報を有していることを検出する情報検出手段であり、前記開始時刻情報生成手段は前記ＣＭ部の開始位置を前記ＣＭ要素ごとの開始位置として前記開始時刻情報を生成する開始時刻情報生成手段であり、前記再生制御手段は、前記本編部に優先して再生させる前記ＣＭ部の再生を前記ＣＭ要素ごとに優先して再生させるＣＭ選択信号が印加された場合には、前記ＣＭ部の再生を当該前記ＣＭ選択信号に基づいて前記ＣＭ要素ごとに前記再生手段を再生制御する再生制御手段であることを特徴とする記録再生装置を提供する。
第４の発明は、第１又は第２の発明に記載の記録再生装置であって、前記情報検出手段は前記ＣＭ部を構成するＣＭ要素ごとに開始を示す開始時刻情報を有していることを検出する情報検出手段であり、前記開始時刻情報生成手段は前記ＣＭ部の開始位置を前記ＣＭ要素ごとの開始位置として前記開始時刻情報を生成する開始時刻情報生成手段であり、前記再生制御手段は、前記ＣＭ部を指定される数の前記ＣＭ要素とし、指定された数の前記ＣＭ要素を前記本編部の再生に優先して再生させるＣＭ選択信号が印加された場合には、優先して再生する前記ＣＭ部の再生を前記ＣＭ要素ごとに制御する一方、前記ＣＭ選択信号により指定された前記ＣＭ要素の数から優先して再生した前記ＣＭ要素の数を減じて得られる未再生のＣＭ要素の数を、前記再生手段で再生して得られた前記番組情報と共に表示させるように制御する再生制御手段であることを特徴とする記録再生装置を提供する。
【発明の効果】
【０００７】
本発明によれば、放送局から放送され、受信される一連の番組情報を受信順に記録する記録手段と、通信回線を介して、放送局から放送される番組情報に対応した放送開始時刻情報を記述した電子番組ガイドを取得する電子番組ガイド取得手段と、記録手段に記録された番組情報を、順次再生する再生手段と、記録手段に記録された番組情報、又は電子番組ガイド取得手段で取得された電子番組ガイドに、番組情報を構成する本編部及びＣＭ部の開始を示す開始時刻情報を有していることを検出する情報検出手段と、情報検出手段で開始時刻情報が検出される場合には、検出された開始時刻情報をスルー出力し、開始時刻情報が検出されない場合であって、かつ再生手段で再生された番組情報の音声のレベルが所定レベル以下でありかつ所定の時間以上継続している無音部分を検出し、検出した隣り合う無音部分の時間間隔が所定の時間間隔よりも長い基準時間の整数倍の長さ存在していることを検出した場合には、当該隣り合う無音部分同士の先行する無音部分の終了位置をＣＭ部の開始位置であるとして、ＣＭ部の開始時刻情報を生成する開始時刻情報生成手段と、再生手段により、記録手段に記録された本編部の再生途中で、当該本編部の直後に記録されているＣＭ部を本編部の再生に優先して再生制御するためのＣＭ選択信号が印加された場合には、開始時刻情報生成手段から出力される開始時刻情報に基づいて、再生途中の本編部の再生を一時停止し、この直後から当該本編部直後から記録されているＣＭ部の再生を開始し、優先して再生している当該ＣＭ部の再生が終了すると、一時停止状態の当該本編部の再生を開始するように再生手段を再生制御する再生制御手段との格別な構成があるので、番組中に挿入された全てのＣＭ部を再生すると共に、ＣＭの再生タイミングを変更した番組を再生可能とする記録再生装置を実現できる。
【発明を実施するための最良の形態】
【０００８】
以下に本発明の実施例に係る記録再生装置について図１〜図８を用いて説明する。
図１は、本発明の実施に係る記録再生装置の構成例を示すブロック図である。図２は、本発明の実施に係る記録再生装置の要部の構成例を示すブロック図である。図３は、本発明の実施に係る記録再生装置の動作例を示す図（その１）である。図４は、本発明の実施に係る記録再生装置の動作を説明するための図である。図５は、本発明の実施に係る記録再生装置の動作例を示す図（その２）である。図６は、本発明の実施に係る記録再生装置の動作例を示す図（その３）である。図７は、本発明の実施に係る記録再生装置の動作をフローチャートで示した図（その１）である。図８は、本発明の実施に係る記録再生装置の動作をフローチャートで示した図（その２）である。
【０００９】
その記録再生装置は番組中に挿入された全てのＣＭ部を再生すると共に、ＣＭの再生タイミングを変更した番組を再生可能とする記録再生装置を実現するという目的を、放送局から放送され、受信される一連の番組情報を受信順に記録する記録手段と、通信回線を介して、放送局から放送される番組情報に対応した放送開始時刻情報を記述した電子番組ガイドを取得する電子番組ガイド取得手段と、記録手段に記録された番組情報を、順次再生する再生手段と、記録手段に記録された番組情報、又は電子番組ガイド取得手段で取得された電子番組ガイドに、番組情報を構成する本編部及びＣＭ部の開始を示す開始時刻情報を有していることを検出する情報検出手段と、情報検出手段で開始時刻情報が検出される場合には、検出された開始時刻情報をスルー出力し、開始時刻情報が検出されない場合であって、かつ再生手段で再生された番組情報の音声のレベルが所定レベル以下でありかつ所定の時間以上継続している無音部分を検出し、検出した隣り合う無音部分の時間間隔が所定の時間間隔よりも長い基準時間の整数倍の長さ存在していることを検出した場合には、当該隣り合う無音部分同士の先行する無音部分の終了位置をＣＭ部の開始位置であるとして、ＣＭ部の開始時刻情報を生成する開始時刻情報生成手段と、再生手段により、記録手段に記録された本編部の再生途中で、当該本編部の直後に記録されているＣＭ部を本編部の再生に優先して再生制御するためのＣＭ選択信号が印加された場合には、開始時刻情報生成手段から出力される開始時刻情報に基づいて、再生途中の本編部の再生を一時停止し、この直後から当該本編部直後から記録されているＣＭ部の再生を開始し、優先して再生している当該ＣＭ部の再生が終了すると、一時停止状態の当該本編部の再生を開始するように再生手段を再生制御する再生制御手段とを備えるようにして実現した。
【００１０】
記録再生装置の構成について述べる。
図１に示す記録再生装置１は、放送受信部１１、映像音声処理部１２、ＣＭ情報取得部１３、記録情報制御部１４、記録再生部１５、表示処理部１６、再生情報制御部１７、及び操作処理部１８より構成される。放送受信部１１にはアンテナが接続され、ＣＭ情報取得部１３には通信ネットワークが接続される。表示処理部１６からは映像・音声信号が出力される。操作処理部１８には図示しないボタンの操作情報が供給される。
図２に示す記録再生装置の要部である再生情報制御部１７は、番組情報テーブル部１７１、再生位置検出部１７２、未再生ＣＭ管理部１７３、再生制御情報生成部１７４、ＣＭ再生命令検出部１７５、及びＣＭ要素数設定部１７６より構成される。
【００１１】
記録再生装置の動作について述べる。
まず、放送受信部１１は録画予約される放送チャンネルの放送を受信して番組信号を得る。映像音声処理部１２は受信して得られる番組信号がディジタル信号の場合、受信信号は例えばＭＰＥＧ（moving picture experts group）のシステム規格で規格化されているＴＳ（Transport Stream）信号である。映像音声処理部１２は動画パケット、音声パケット、及び補助情報パケットのそれぞれのパケットを解き、動画信号、音声信号、及び補助情報を得る。記録再生部１５は動画信号、音声信号、及び補助情報を、例えば図示しないハードディスクなどの記録媒体に記録する。ＣＭ情報取得部１３は補助情報パケットに含まれるＰＳＩ（Program Specific Information）を取得する。ＰＳＩに、動画パケット及び音声パケットで受信される番組信号が本編部であるか又はＣＭ（commercial message）部であるかの情報が含まれる場合は、記録するＴＳ信号が本編部であるか又はＣＭ部であるかを検出する。記録情報制御部１４は記録する本編部のＴＳ信号、及びＣＭ部のＴＳ信号の記録開始時刻を基にプレイリストを生成する。記録再生部１５は本編部及びＣＭ部の信号をプレイリストに従って指定される記録位置に記録する。記録再生部１５は圧縮符号化信号を、例えばランダムアクセス可能な図示しないハードディスクなどの記録媒体に記録する。
【００１２】
記録再生部１５に記録された番組信号は、操作処理部１８により検出される図示しないリモコンキーが操作されて再生される。
まず、再生情報制御部１７は記録情報制御部１４から再生すべき番組信号に係るプレイリストを取得し、番組信号の記録位置を指定する。記録再生部１５は、プレイリストに従って記録された順の本編部及びＣＭ部を再生する。映像音声処理部１２は圧縮符号化信号である本編部信号及びＣＭ部信号を復号化して得る。本編部信号及びＣＭ部信号は表示処理部１６を介して記録再生装置１から出力される。表示処理部１６では、必要に応じて共に表示すべき情報を映像信号に多重（スーパーインポーズ）して出力する。
【００１３】
本編部の再生中に、その本編部の後に再生されるＣＭ部を先行して再生する操作がなされた場合に、再生情報制御部１７はプレイリストに従って本編部の後に再生されるべきＣＭ部の再生を再生中の本編部に挿入して再生させるための再生制御情報を生成する。記録再生部１５は再生制御情報に従って、再生中の本編部の再生を一時停止し、指定されたＣＭ部の優先再生を行う。ＣＭ部の再生の後に、一時停止されていた本編部の再生を再開する。その本編部と次の本編部との間に挿入されているＣＭ部は既に再生されたため、挿入されるべきＣＭ部をスキップさせて再生中の本編部と次の本編部とを切れ目なく、連続的に再生する。
【００１４】
一方、ＣＭ部を先行して再生させる操作がなされなかった場合は、ＣＭ部はプレイリストに従って記録された順に本編部及びＣＭ部の再生がスキップされることなく行われる。
記録再生装置１では、ＣＭ部を先行して再生させる場合、及び先行して再生させない場合のいずれでもＣＭ部は再生される。そして、再生情報制御部１７は、ＣＭ部を再生中は早送りやスキップを禁止させるための再生制御を行うようにしても良い。視聴者は番組を中断したい箇所でＣＭ再生を行い、中断したくない箇所は連続再生を行える一方、番組スポンサーは視聴者によるＣＭ再生が確実になされるなど、好適な商業放送環境を実現できる。
【００１５】
ここで、受信される番組信号に本編部であるか又はＣＭ部であるかの識別情報が含まれなく、インターネットなどで放送者又は放送者以外からの識別情報が公開されている場合には、ＣＭ情報取得部１３は図示しない通信回線を介して番組の経過時間に対する本編部及びＣＭ部に係る時刻情報を取得することにより記録再生装置１は上記の動作を行うことが出来る。
また、識別情報が得られない場合で本編部がモノラルモード又は２ヶ国語モードで放送される場合は、音声モードが例えば１５秒の整数倍で変更されるステレオ音声モードとして受信される場合に、その音声モードを検出することにより番組中のＣＭ部を特定することが出来る。
また、本編部の音声がステレオモードで放送される場合は、１５秒の整数倍ごとに例えば数百ｍ秒存在する無音部が繰り返して検出される部分をＣＭ部であるとして検出することにより、本編部とＣＭ部との判定を行う方法もある。
受信して得られる番組信号がアナログ信号の場合、映像音声処理部１２はアナログの映像信号及び音声信号を例えばＭＰＥＧ（moving picture experts group）−２方式により符号化して圧縮符号化信号を生成する。
【００１６】
次に、詳細に説明する。
図２を参照して再生情報制御部１７について述べる。
まず、番組情報テーブル部１７１は、記録情報制御部１４で生成され、記録再生部１５で図示しない記録媒体に記録されたプレイリストを取得する。又はプレイリストを記録情報制御部１４から直接取得する。再生位置検出部１７２は記録再生部１５で再生される番組信号の記録位置情報を得る。未再生ＣＭ管理部１７３は、番組情報テーブル部１７１から取得したプレイリストと、再生位置検出部１７２で得られる記録位置情報とを比較し、再生中の番組がＣＭ部であるときには、プレイリストのどのＣＭ部が再生中であるかを検出する。ＣＭ部が複数のＣＭ要素からなる場合には、ＣＭ部のどのＣＭ要素の再生を行ったかを検出し、再生を行っていないＣＭ要素を未再生ＣＭとして認識する。
【００１７】
ＣＭ要素数設定部１７６は、図示しない操作ボタンが操作されて操作処理部で得られる操作情報を基に、再生中の本編部に挿入するＣＭ部のＣＭ要素数を取得する。ＣＭ要素数情報として設定する。ＣＭ再生命令検出部１７５は、操作処理部で得られる操作情報を基に再生中の本編部を一時停止してＣＭ部を優先再生する際のＣＭ再生タイミングを検出する。未再生ＣＭ管理部１７３は、検出されたＣＭ再生タイミングを基にプレイリスト中から再生を行っていないＣＭ要素をＣＭ要素数情報で設定される数だけ順に再生させる手順を認識する。再生制御情報生成部１７４は認識された再生手順に従って記録再生部１５での再生を行わせるための再生制御情報を生成する。再生位置検出部１７２により再生されるＣＭ要素が検出された場合に、未再生ＣＭ管理部１７３はプレイリスト中の再生されたＣＭ要素を再生済みであるとして認識する。プレイリストの未再生ＣＭの更新、及び管理を行う。
ＣＭ再生命令検出部１７５により本編部の再生を一時停止してＣＭ部を再生する操作が検出されなく、プレイリストに記述される未再生ＣＭがある場合には、プレイリストに従って本編部の次に再生すべきＣＭ部を再生する。即ち、本編部とＣＭ部とは記録順に再生されることになる。
【００１８】
サーバー型放送システムなど、再生される本編部に挿入されるＣＭ部が、再生順に送信されない場合がある。即ち、ＣＭ部は予め受信装置側に送信されており、本編部に挿入するＣＭ要素はＣＭ要素を指定する識別番号と、挿入位置を示すタイムコードなどが送信される場合である。受信装置は、ＣＭ要素の識別番号と挿入位置に従って本編部の再生を一時停止し、ＣＭ部を挿入して再生する。この場合も、ＣＭ部が再生されるべき時間よりも先行して再生された場合には、本編部の再生を一時停止することなく連続的な再生を行う。
【００１９】
図３〜図５を参照し、未再生ＣＭ管理部１７３について述べる。
図３は、受信される番組データを例示したものである。本編１に続いてＣＭ部、即ちＣＭ要素であるＣＭ１、ＣＭ２、及びＣＭ３が受信され、次に本編２が受信されている。本編１の開始時刻から本編２の開始時刻の手前までを区間１とする。ＣＭ１の開始時刻はａ、ＣＭ２はｂ、ＣＭ３はｃである。区間２は本編２の開始時刻ｄから開始されている。ｅ〜ｌも同様である。ａ〜ｌの開始時刻情報は、ＣＭ情報取得部１３が放送受信時に番組開始時点からの音声モードの時間変化を検出しながら得る、ステレオモード放送の場合は音声の無音区間を計測することによりＣＭ部のＣＭ要素を特定しつつ開始時刻情報を得たり、放送と共に送信される本編部とＣＭ部との識別情報を基に得たり、乃至はインターネット情報として公開されている本編部及びＣＭ部の時刻情報から開始時刻情報を得るなどの方法がある。
【００２０】
図４は、図３に示した番組データに関し未再生ＣＭ管理部１７３で作成されたＣＭ部プレイリストの記述例である。区間１のＣＭ部情報はＣＭ１、ＣＭ２、及びＣＭ３のＣＭ要素それぞれの情報が記述されている。ＣＭ１情報には開始情報（ａ）、終了情報（ｂ）及び再生完了フラグが記述される。ＣＭ２情報は、ＣＭ１の終了時刻ｂと同じ時刻の開始時刻情報ｂが記述される。実際の動作は、ＣＭ１情報の終了時刻を時刻ｂの１フレーム前（３３ｍ秒）の時刻として行う。再生完了フラグは、時刻ａより前に本編部が一時停止されてＣＭ１が再生された場合に、再生位置検出部１７２がその再生を検出した結果、再生完了フラグの０が１に変更される。再生完了フラグが１の場合にはＣＭ１情報の再生をスキップする。再生完了フラグが０の場合には、番組再生開始時からの時刻がａとなったときにＣＭ１を再生する。以降、区間３のＣＭ９情報まで同様に記述され、同様の動作が行われる。
【００２１】
図５は、図３に示した（Ａ）元の番組データの本編部を再生中にＣＭを先行再生させた場合の（Ｂ）再生番組データを示したものである。
本編１の再生中、操作１の時点でＣＭ再生操作を行った場合について説明する。即ち、本編１（Ａ）の再生時点で再生するＣＭ要素数を３とし、ＣＭを先行再生させる操作を行った場合である。操作１により、３個のＣＭ要素ＣＭ１〜ＣＭ３は本編１（Ａ）の直後から再生される。その後、本編１（Ａ）の直後の部分である本編１（Ｂ）が再生される。ＣＭ部プレイリストのＣＭ１情報〜ＣＭ３情報の再生完了フラグが立てられる。本編１（Ｂ）の再生後ＣＭ１〜ＣＭ３はスキップされ、本編２の再生が開始される。
本編２を再生中に選択数を４とする操作２が行われた場合は、再生完了フラグが立てられていない４個のＣＭ要素、ＣＭ４〜ＣＭ７が再生される。その後本編２の（Ｂ）が再生され、続けて本編３が再生される。その後、再生完了フラグが立てられていないＣＭ８、ＣＭ９が再生される。
以上、ＣＭ要素が先行して優先的に再生され、ＣＭ部プレイリストで再生完了フラグが立てられているＣＭがある場合には、それらのＣＭ要素はスキップして再生され、未再生のＣＭがある場合には送信側からの指定に従った本編部とＣＭ部とが再生される。
【００２２】
図６を参照し、ＣＭ要素を先行再生する場合の再生画面について述べる。
図５（Ｂ）で述べた操作１の時点で、先行再生するＣＭ要素は３と指定されている。ＣＭ１の再生画面には３個のＣＭが再生されることを示している。ＣＭの再生個数画面は、前述の図１で述べた表示処理部１６によりスーパーインポーズされて表示される。ＣＭ２を再生中は数字２が多重表示され、ＣＭ３再生中には１が多重表示される。この場合の多重表示情報の生成は未再生ＣＭ管理部１７３で行い、表示処理部１６が多重表示情報を基に表示画像情報を生成して映像音声処理部１２から出力される画像に多重表示するようにしている。
【００２３】
図７を参照し、記録再生装置１の記録動作の流れについて説明する。
まず、Ｓ（ステップ）６１で、記録する番組を、例えばインターネット上に公開されているＥＰＧ（Electronic Program Guide：電子番組ガイド）を参照して録画予約する。Ｓ６２でＥＰＧに記載される番組の開始時刻と図示しない時計機能とを比較し、放送開始までに所定の時間があるかを検出する。時間があるとして検出される場合は、Ｓ６３でインターネット上に公開される番組の本編部放送時刻、及びＣＭ部時刻情報を取得する。その後、予約時刻が到来したら受信される番組を記録する。Ｓ６４で予約番組を記録したか否かが検出される。Ｓ６２で放送開始までの時間がないとして検出された場合、及びＳ６４で番組を記録していないとして検出される場合はＳ６５で番組の記録準備を行う。Ｓ６６で受信される番組を記録する。Ｓ６７で、例えば番組識別情報によるＣＭ情報や音声モードの異なりによるＣＭ情報が取得された場合には記録動作を終了する。ＣＭ情報取得が終了されていないとして検出される場合はＳ６３からの処理を繰り返す。
【００２４】
図８を参照し、記録再生装置１の再生動作の流れについて説明する。
まず、Ｓ７１で再生番組が指定され再生開始を行う際に、図２に示した未再生ＣＭ管理部１７３は、図１に示したＣＭ情報取得部１３で取得された番組のＣＭ部情報を基に、ＣＭ部プレイリストを生成する。Ｓ７２で、ＣＭ部プレイリストから本編開始前にＣＭ部があるかを検出し、あるとして検出された場合はＳ７３で本編前のＣＭを再生する。本編開始前のＣＭが検出されない場合、及びＳ７３で本編前ＣＭが再生された場合はＳ７４で本編を再生する。Ｓ７５で、本編再生中にＣＭ再生操作がなされたかを検出する。ＣＭの先行再生操作が検出された場合は、Ｓ７６で未再生のＣＭ要素１個を再生する。Ｓ７７で指定された数のＣＭ要素が再生されたかを検出し、再生された場合はＳ７４からの処理を繰り返す。指定数のＣＭが再生されていないとして検出される場合は、Ｓ７８でＣＭ再生操作が取り消されたかを検出する。取り消されたとして検出された場合はＳ７４からの処理を繰り返し、取り消されていないとして検出された場合はＳ７６からの処理を繰り返す。
【００２５】
Ｓ７５でＣＭ再生操作がなされないとして検出された場合はＳ７９で再生区間中の本編の再生を終了したかを検出する。終了していないとして検出される場合はＳ７４からの処理を繰り返し、本編の再生を終了したとして検出される場合はＳ８１で次の区間の本編があるかを検出する。次の区間の本編があるとして検出された場合は、Ｓ８２で再生完了フラグの付されないＣＭがあるかを検出し、あるとして検出される場合はＳ８３で未再生のＣＭを再生する。現在の区間で再生未完のＣＭがないとして検出された場合はＳ８４で再生区間を１増加させ、Ｓ７４からの処理を繰り返す。Ｓ８１で次区間の本編がないとして検出される場合は本編終了後に受信されたＣＭを再生し、操作により指定された番組の再生を終了する。
【００２６】
本編部とＣＭ部とで構成される番組を受信し、ＣＭ部のみを先行させて優先的に視聴することにより、使用者の意としない箇所に挿入されるＣＭをスキップさせ、本編部を連続的に再生させることのできる記録再生装置について述べた。分割された本編部と本編部との間に挿入される番組のカテゴリが、例えば「ニュース」、「番組予告」、「お知らせ」などのＣＭ以外の番組部分であっても、挿入された番組部分を検出できる限り、挿入番組を先行して優先的に再生させ、その後は本編部のみを連続的に再生させる記録再生装置を実現できる。
【００２７】
以上のように、本実施例で示した記録再生装置によれば、放送局から送信される複数の本編部及び複数のＣＭ部と、複数の本編部と複数のＣＭ部との識別情報が送信される場合には識別情報とからなる番組を記録媒体に記録する記録手段１５と、記録された番組を再生する再生手段１５と、記録媒体に識別情報が記録されている場合には識別情報を基に複数の本編部と複数のＣＭ部との記録開始位置を検出する一方、識別情報が記録されていない場合には再生手段で再生された番組の音声信号に存在する無音部同士の時間間隔を検出し、検出された時間間隔が所定の時間間隔の整数倍であるときには所定の時間間隔の整数倍の時間間隔を有する番組部分をＣＭ部として記録開始位置を検出する記録位置検出手段１４と、記録位置検出手段で検出された各記録開始位置情報に基づく本編部及びＣＭ部の再生は、本編部よりも後に記録されたＣＭ部の再生を記録順よりも早く行う操作がなされた場合はＣＭ部の再生を記録順よりも早く行わせ、本編部よりも後に記録されたＣＭ部の再生を記録順よりも早く行う操作がなされない場合はＣＭ部の再生を記録順に行わせる再生制御情報を生成する再生制御データ生成手段１７との格別な構成があるので、番組中に挿入された全てのＣＭ部を再生すると共に、ＣＭの再生タイミングを変更した番組を再生可能とする記録再生装置を実現できる。
【図面の簡単な説明】
【００２８】
【図１】本発明の実施に係る記録再生装置の構成例を示すブロック図である。
【図２】本発明の実施に係る記録再生装置の要部の構成例を示すブロック図である。
【図３】本発明の実施に係る記録再生装置の動作例を示す図（その１）である。
【図４】本発明の実施に係る記録再生装置の動作を説明するための図である。
【図５】本発明の実施に係る記録再生装置の動作例を示す図（その２）である。
【図６】本発明の実施に係る記録再生装置の動作例を示す図（その３）である。
【図７】本発明の実施に係る記録再生装置の動作をフローチャートで示した図（その１）である。
【図８】本発明の実施に係る記録再生装置の動作をフローチャートで示した図（その２）である。
【符号の説明】
【００２９】
１    記録再生装置
１１    放送受信部
１２    映像音声処理部
１３    ＣＭ情報取得部
１４    記録情報制御部
１５    記録再生部
１６    表示処理部
１７    再生情報制御部
１８    操作処理部
１７１    番組情報テーブル部
１７２    再生位置検出部
１７３    未再生ＣＭ管理部
１７４    再生制御情報生成部
１７５    ＣＭ再生命令検出部
１７６    ＣＭ要素数設定部
【図１】
2008206012.tif 000003
【図２】
2008206012.tif 000004
【図３】
2008206012.tif 000005
【図４】
2008206012.tif 000006
【図５】
2008206012.tif 000007
【図６】
2008206012.tif 000008
【図７】
2008206012.tif 000009
【図８】
2008206012.tif 000010